(57)【特許請求の範囲】
【請求項１】
複数の住戸を有する集合住宅に設けられ、太陽光を受光して前記集合住宅の各々の住戸に分配する電力を発電する太陽光発電装置と、
前記集合住宅の住戸毎に設けられ、前記太陽光発電装置によって発電された電力を蓄電可能な蓄電池と、
全て売電する場合の経済性重視設定、全て蓄電する場合の環境重視設定、及び前記太陽光発電装置によって発電された電力の前記蓄電池への蓄電と電力会社への売電の割合を任意に設定又は予め定めた割合の中から設定する場合の割合選択設定の少なくとも３つの設定を有し、前記蓄電池への蓄電と電力会社への売電の割合を前記集合住宅の住戸毎に設定するための設定手段と、
前記設定手段によって設定された前記割合に従って、前記太陽光発電装置によって発電された電力の前記蓄電池への蓄電と前記電力会社への売電とを前記住戸毎に制御する制御手段と、
を備えた集合住宅。
【請求項２】
前記設定手段は、タッチパネル式の表示装置からなる請求項１に記載の集合住宅。
【請求項３】
前記蓄電池とは別に設けられ、売電するための電力を蓄電する売電用蓄電池を更に備えた請求項１又は請求項２に記載の集合住宅。
【請求項４】
前記売電用蓄電池は、複数の住戸毎に備える請求項３に記載の集合住宅。
【請求項５】
前記売電用蓄電池は、所定の電力回収会社によって回収される請求項４に記載の集合住宅。
【請求項６】
前記制御手段は、前記設定手段によって設定された前記割合に従って、前記太陽光発電装置によって発電されて前記住戸の各々で使用された残りの余剰電力の前記蓄電池への蓄電と前記電力会社への売電とを制御する請求項１〜５の何れか１項に記載の集合住宅。
【請求項７】
蓄電池を各々備えた複数の住戸を有する集合住宅に設けられ、全て売電する場合の経済性重視設定、全て蓄電する場合の環境重視設定、及び太陽光を受光して前記集合住宅の各々の住戸に分配する電力を発電する太陽光発電装置によって発電された電力の蓄電池への蓄電と電力会社への売電の割合を任意に設定又は予め定めた割合の中から設定する場合の割合選択設定の少なくとも３つの設定を有して蓄電池への蓄電と電力会社への売電の割合を前記集合住宅の住戸毎に設定するための設定手段と、
前記設定手段によって設定された前記割合に従って、前記太陽光発電装置によって発電された電力の前記蓄電池への蓄電と前記電力会社への売電とを前記住戸毎に制御する制御手段と、
を備えた集合住宅用電力供給システム。
【発明の詳細な説明】
【技術分野】
【０００１】
本発明は、集合住宅及び集合住宅用電力供給システムにかかり、特に、太陽光発電装置を備えた集合住宅及び集合住宅用電力供給システムに関する。
【背景技術】
【０００２】
特許文献１には、集合住宅に太陽光発電装置及び蓄電池を設けて、日照のあるときに太陽光発電装置で発電した電力を蓄電池の最大容量まで蓄電した後に電力会社に売電し、屋外が暗くなったときに、蓄電池に蓄電した電力で屋外灯を点灯することが提案されている。
【先行技術文献】
【特許文献】
【０００３】
【特許文献１】特許第４０５２７６７号公報
【発明の概要】
【発明が解決しようとする課題】
【０００４】
しかしながら、特許文献１に記載の技術では、集合住宅に設けられた太陽光発電装置の発電電力は、蓄電池を介して共用電気設備である屋外灯に供給されると共に余剰分が売電されるが、各住戸への配分は考慮されていないと共に、電力の配分割合等についても考慮されていないため、ニーズに合わせて発電電力を利用するという点で改善の余地がある。
【０００５】
本発明は、上記事実を考慮して成されたもので、集合住宅において発電された電力を入居者のニーズに合わせて利用可能とすることを目的とする。
【課題を解決するための手段】
【０００６】
上記目的を達成するために請求項１に記載の発明は、複数の住戸を有する集合住宅に設けられ、太陽光を受光して前記集合住宅の各々の住戸に分配する電力を発電する太陽光発電装置と、前記集合住宅の住戸毎に設けられ、前記太陽光発電装置によって発電された電力を蓄電可能な蓄電池と、全て売電する場合の経済性重視設定、全て蓄電する場合の環境重視設定、及び前記太陽光発電装置によって発電された電力の前記蓄電池への蓄電と電力会社への売電の割合を任意に設定又は予め定めた割合の中から設定する場合の割合選択設定の少なくとも３つの設定を有し、前記蓄電池への蓄電と電力会社への売電の割合を前記集合住宅の住戸毎に設定するための設定手段と、前記設定手段によって設定された前記割合に従って、前記太陽光発電装置によって発電された電力の前記蓄電池への蓄電と前記電力会社への売電とを前記住戸毎に制御する制御手段と、を備えることを特徴としている。
【０００７】
請求項１に記載の発明によれば、太陽光発電装置は、集合住宅に設けられて、太陽光を受光して集合住宅の各々の住戸に分配する電力を発電し、蓄電池は、集合住宅の住戸毎に設けられて太陽光発電装置によって発電された電力が蓄電可能とされている。
【０００８】
また、設定手段では、経済性重視設定、環境重視設定、及び割合選択設定の少なくとも３つの設定を有して、太陽光発電装置によって発電された電力の蓄電池への蓄電と電力会社への売電の割合を集合住宅の住戸毎に設定することができる。
【０００９】
そして、制御手段では、設定手段によって設定された蓄電と売電の割合に従って、太陽光発電装置によって発電された電力の蓄電池への蓄電と、電力会社への売電とが集合住宅の住戸毎に制御される。
【００１０】
すなわち、設定手段によって蓄電と売電の割合を設定するだけで、入居者のニーズに合わせて電力を利用することができる。
【００１１】
例えば、蓄電よりも売電する割合が多い設定にすることで経済性を重視することができ、売電よりも蓄電する割合が多い設定にすることで環境を重視することができる。従って、入居者の意図に従った電力使用が可能となる。
【００１２】
設定手段は、例えば、請求項２に記載の発明のように、タッチパネル式の表示装置からなり、蓄電と売電の割合を任意に設定、または予め定めた割合の中から設定するようにしてもよい。
【００１３】
また、請求項３に記載の発明のように、蓄電池とは別に設けられ、売電するための電力を蓄電する売電用蓄電池を更に備えるようにしてもよい。この場合、売電用蓄電池は、請求項４に記載の発明のように、複数の住戸毎に備えるようにしてもよいし、住戸毎に備えて１つの住戸から供給される電力を蓄電するようにしてもよい。さらに、売電用蓄電池は、請求項５に記載の発明のように、所定の電力回収会社によって回収されるようにしてもよい。すなわち、売電用蓄電池を備える場合には、電力会社以外へ売電することが可能となる。
【００１４】
なお、制御手段は、請求項６に記載の発明のように、設定手段によって設定された割合に従って、太陽光発電装置によって発電されて住戸の各々で使用された残りの余剰電力の蓄電池への蓄電と電力会社への売電とを制御するようにしてもよい。
【００１５】
請求項７に記載の発明は、蓄電池を各々備えた複数の住戸を有する集合住宅に設けられ、全て売電する場合の経済性重視設定、全て蓄電する場合の環境重視設定、及び太陽光を受光して前記集合住宅の各々の住戸に分配する電力を発電する太陽光発電装置によって発電された電力の蓄電池への蓄電と電力会社への売電の割合を任意に設定又は予め定めた割合の中から設定する場合の割合選択設定の少なくとも３つの設定を有して蓄電池への蓄電と電力会社への売電の割合を前記集合住宅の住戸毎に設定するための設定手段と、前記設定手段によって設定された前記割合に従って、前記太陽光発電装置によって発電された電力の前記蓄電池への蓄電と前記電力会社への売電とを前記住戸毎に制御する制御手段と、を備えることを特徴としている。
【００１６】
請求項７に記載の発明によれば、設定手段では、経済性重視設定、環境重視設定、及び割合選択設定の少なくとも３つの設定を有して、太陽光発電装置によって発電された電力の蓄電池への蓄電と電力会社への売電の割合を集合住宅の住戸毎に設定することができる。
【００１７】
そして、制御手段では、設定手段によって設定された蓄電と売電の割合に従って、太陽光発電装置によって発電された電力の蓄電池への蓄電と、電力会社への売電とが集合住宅の住戸毎に制御される。
【００１８】
すなわち、請求項１に記載の発明と同様に、設定手段によって蓄電と売電の割合を設定するだけで、入居者のニーズに合わせて電力を利用することができる。
【発明の効果】
【００１９】
以上説明したように本発明によれば、発電電力の蓄電と売電の割合を設定可能として、設定された割合に応じて、発電電力の蓄電と売電を制御することによって、蓄電と売電の割合をニーズに合わせて変更することができるので、集合住宅において発電された電力を入居者のニーズに合わせて利用可能とすることできる、という効果がある。
【図面の簡単な説明】
【００２０】
【図１】本発明の実施の形態に係わる集合住宅用電力供給システムを備えた集合住宅の概略構成を示す図である。
【図２】本発明の実施の形態に係わる集合住宅用電力供給システムの各住戸毎の詳細な構成を示すブロック図である。
【図３】本発明の実施の形態に係わる集合住宅用電力供給システムにおいて各住戸で蓄電と売電の設定を行う際の処理の流れの一例を示すフローチャートである。
【図４】（Ａ）は蓄電／売電割合設定画面の一例を示す図であり、（Ｂ）は設定割合選択画面の一例を示す図であり、（Ｃ）は蓄電／売電割合設定画面の他の例を示す図である。
【図５】売電用蓄電池を更に備える場合の集合住宅用電力供給システムの各住戸毎の詳細な構成を示すブロック図である。
【図６】本発明の実施の形態に係わる集合住宅用電力供給システムにおいて、複数の住戸に対して１つの蓄電池を備える例を示すブロック図である。
【発明を実施するための形態】
【００２１】
以下、図面を参照して本発明の実施の形態の一例を詳細に説明する。図１は、本発明の実施の形態に係わる集合住宅用電力供給システムを備えた集合住宅の概略構成を示す図である。
【００２２】
本発明の実施の形態に係わる集合住宅用電力供給システムを備えた集合住宅１２は、図１に示すように、太陽光発電装置１４と蓄電池１６が集合住宅１２に設けられて構成されている。太陽光発電装置１４は、太陽光を受光しやすい位置に設けられ、蓄電池１６は、集合住宅１２の各住戸毎に設けられている。例えば、太陽光発電装置１４は、図１に示すように、集合住宅１２の屋上に設け、蓄電池１６は、各住戸のベランダに設けることができるが、他の位置に設けるようにしてもよい。
【００２３】
すなわち、太陽光発電装置１４によって発電された電力が蓄電池１６に蓄電可能とされ、各住戸で使用可能とされている。なお、本実施の形態では、太陽光発電装置１４を一例として説明するが、太陽光発電装置１４以外の自然エネルギー（風力、水力、地熱等）を利用した発電装置等を適用するようにしてもよい。
【００２４】
太陽光発電装置１４は、例えば、各住戸毎にパネルを分割して各住戸に割り当てるようにしてもよいし、パネルを分割せずに、各住戸毎に電力線を分配して電力を分配するようにしてもよい。
【００２５】
図２は、本発明の実施の形態に係わる集合住宅用電力供給システム１０の各住戸毎の詳細な構成を示すブロック図である。
【００２６】
各住戸１８には、各住戸における電力の流れを制御する制御装置２０が設けられており、制御装置２０には、太陽光発電装置１４、蓄電池１６、商用電源２８、分電盤２２、及び操作表示パネル２４が接続されている。
【００２７】
制御装置２０は、例えば、太陽光発電装置１４によって発電された電力を分電盤２２を介して各居室２６へ供給したり、余剰電力を蓄電池１６に充電したり、蓄電池１６に蓄電された電力を分電盤２２を介して各居室２６へ供給したり、余剰電力を商用電源２８を介して電力会社へ売電したり等の制御を行う。また、蓄電池１６を商用電源２８を用いて充電する際には、制御装置２０は、深夜電力等の料金が安価な時間帯に充電を行う等の制御も行う。
【００２８】
操作表示パネル２４は、液晶表示装置等の表示パネルを備えると共に、電力に関する設定を行うための操作ボタン等を備えて、電力に関する情報の表示や設定が可能とされている。操作表示パネル２４としては、本実施の形態では、タッチパネル式を適用するがこれに限るものではない。
【００２９】
具体的には、操作表示パネル２４は、本実施の形態では、太陽光発電装置１４によって発電された電力のうち各住戸で使用して残った余剰電力の蓄電池１６への充電と売電の割合の設定が可能とされている。
【００３０】
また、制御装置２０には、インターネット等のネットワーク３０が接続されており、ネットワーク３０に接続可能な端末装置３２と通信が可能とされている。本実施の形態では、端末装置３２によって、操作表示パネル２４で設定可能な蓄電と売電の割合を遠隔操作することが可能とされている。すなわち、端末装置３２から蓄電と売電の割合を表す情報を送信することによって、当該情報がネットワーク３０を介して制御装置２０に入力されることにより、制御装置２０が、送信された割合に応じて、蓄電池１６への蓄電と電力会社への売電をを制御するようになっている。
【００３１】
また、集合住宅１２の共用部２７についても各住戸１８と同様の構成を有している。すなわち、図２に示すように、共用部２７には、共用部２７における電力の流れを制御する制御装置２１が設けられており、制御装置２１には、太陽光発電装置１４、蓄電池１７、商用電源２８、分電盤２３、及び操作表示パネル２５が接続されている。
【００３２】
制御装置２１は、例えば、太陽光発電装置１４によって発電された電力を分電盤２３を介して照明５０、オートロック５２等の共用設備へ供給したり、余剰電力を蓄電池１７に充電したり、蓄電池１７に蓄電された電力を分電盤２３を介して各共用設備に供給したり、余剰電力を商用電源２８を介して電力会社へ売電したり等の制御を行う。また、蓄電池１７を商用電源２８を用いて充電する際には、制御装置２１は、深夜電力等の料金が安価な時間帯に充電を行う等の制御も行う。
【００３３】
操作表示パネル２５についても各住戸１８と同様に、液晶表示装置等の表示パネルを備える共に、電力に関する設定を行うための操作ボタン等を備えている。操作表示パネル２５は、集合住宅の大家が操作することによって電力に関する情報の表示や設定が可能とされている。操作表示パネル２５としては、本実施の形態では、タッチパネル式を適用するがこれに限るものではない。
【００３４】
具体的には、操作表示パネル２５は、本実施の形態では、太陽光発電装置１４によって発電された電力のうち共用部２７の各共用設備で使用して残った余剰電力の蓄電池１７への充電と売電の割合の設定が可能とされている。
【００３５】
また、制御装置２１には、インターネット等のネットワーク３０が接続されており、ネットワーク３０に接続可能な端末装置３２と通信が可能とされている。本実施の形態では、端末装置３２によって、操作表示パネル２５で設定可能な蓄電と売電の割合を遠隔操作することが可能とされている。すなわち、端末装置３２から蓄電と売電の割合を表す情報を送信することにより、制御装置２１が、送信された割合に応じて、蓄電池１７への蓄電と電力会社への売電とを制御するようになっている。
【００３６】
ここで、制御装置２０で行われる発電電力の供給に関する制御について説明する。なお、以下では、各住戸１８の制御装置２０で行われる制御を代表して説明するが、共用部２７の制御装置２１でも同様な制御が可能であるものとする。
【００３７】
太陽光発電装置１４で発電された電力は、制御装置２０へ供給され、制御装置２０から分電盤２２を介して各居室２６へ供給される。
【００３８】
制御装置２０は、基本的には、太陽光発電装置１４による発電電力を各住戸で使用するように、発電電力を分電盤２２へ供給して、使用されない余剰分の余剰電力を蓄電池１６に充電、または商用電源２８を介して電力会社へ売電するように制御する。なお、太陽光発電装置１４の発電電力は、余剰電力ではなく、発電電力を蓄電池１６に直接蓄電してから分電盤２２に供給、または直接売電するようにしてもよい。
【００３９】
蓄電池１６への蓄電と電力会社への売電は、上述したように、操作表示パネル２４によって予め設定された割合に応じて制御される。例えば、操作表示パネル２４で蓄電と売電の割合として蓄電１００％が設定された場合には、制御装置２０は、売電せずに蓄電池１６へ充電するように制御して蓄電池１６が満充電となったところで売電するように制御する。また、操作表示パネル２４で売電１００％が設定された場合には、制御装置２０は、蓄電池１６への蓄電を行わずに、発電電力のうち余剰電力を全て売電するように制御する。また、操作表示パネル２４で蓄電と売電の割合がそれぞれ５０％が設定された場合には、制御装置２０は、蓄電池１６への充電と電力会社への売電が５０％ずつになるように制御する。このとき、蓄電と売電の割合は、直前の一定時間で発生した余剰電力に基づいて計算して蓄電と売電を行う。例えば、直前の１時間で発生した余剰電力が１ｋＷｈのときに、蓄電と売電の割合が５０％の設定が行われている場合には、次の１時間については０．５ｋＷｈを必ず売電し、残りを蓄電する。または０．５ｋＷｈを必ず蓄電し、残りを売電することで、設定割合に追従するように制御する。なお、蓄電と売電の割合は、上述した例では、蓄電：売電＝１００：０、０：１００、まはた５０：５０を例として説明したがこれに限るものではない。
【００４０】
続いて、上述のように構成された本発明の実施の形態に係わる集合住宅用電力供給システム１０におけて蓄電と売電の設定を行う際の処理について説明する。図３は、本発明の実施の形態に係わる集合住宅用電力供給システム１０において各住戸で蓄電と売電の設定を行う際の処理の流れの一例を示すフローチャートである。なお、図３の処理では、操作表示パネル２４を操作して蓄電と売電の設定を行う指示が行われた場合に開始するものとする。
【００４１】
操作表示パネル２４が操作されて蓄電と売電の設定を行う指示が行われるとステップ１００では、予め定めた蓄電／売電割合設定画面が操作表示パネル２４に表示されてステップ１０２へ移行する。蓄電／売電割合設定画面としては、例えば、図４（Ａ）に示すような画面が表示される。図４（Ａ）の「経済性重視」は、全て売電する場合に選択され、「環境重視」は、全て蓄電する場合に選択され、「割合選択」は、任意に割合を変更する場合に選択される。
【００４２】
ステップ１０２では、操作表示パネル２４が操作されて「経済性重視」が選択されたか否かが判定され、該判定が肯定された場合にはステップ１０４へ移行し、否定された場合にはステップ１０６へ移行する。
【００４３】
ステップ１０４では、全余剰電力を売電するように制御装置２０が設定されて一連の処理を終了する。これによって制御装置２０では、太陽光発電装置１４によって発電された電力のうち、分電盤２２を介して各居室２６や集合住宅１２の共用部２７へ供給して残った余剰電力を電力会社へ売電するように制御される。
【００４４】
ステップ１０６では、操作表示パネルが操作されて「環境重視」が選択されたか否かが判定され、該判定が肯定された場合にはステップ１０８へ移行し、否定された場合には、任意に割合を選択する「割合選択」が指示されたものとしてステップ１１０へ移行する。
【００４５】
ステップ１０８では、余剰電力を蓄電池１６に蓄電すると共に、蓄電池１６が満充電の場合には売電するように制御装置２０が設定されて一連の処理を終了する。これによって制御装置２０では、太陽光発電装置１４によって発電された電力のうち、分電盤２２を介して各居室２６や集合住宅１２の共用部２７へ供給して残った余剰電力が蓄電池１６に蓄電されるように制御され、蓄電池１６が満充電になったところで電力会社へ売電するように制御される。
【００４６】
ステップ１１０では、予め定めた設定割合選択画面が表示されてステップ１１２へ移行する。設定割合選択画面は、例えば、図４（Ｂ）に示すような画面が表示される。図４（Ｂ）では、「▲」または「▼」を指示する操作を行うことによって割合を任意に変更可能とされている。
【００４７】
ステップ１１２では、割合選択が終了したか否かが判定される。該判定は、例えば、図４（Ｂ）の「▲」または「▼」を指示する操作が行われて割合が決定されて、「決定」を指示する操作が行われたか否かを判定し、該判定が肯定されるまで待機してステップ１１４へ移行する。
【００４８】
ステップ１１４では、設定割合に応じて蓄電／売電設定が制御装置２０に行われて一連の処理を終了する。これによって制御装置２０では、任意に設定された割合となるように、蓄電池１６への蓄電と売電が制御される。例えば、直前の所定時間の余剰電力量を監視しながら、設定された割合になるように、蓄電池１６への蓄電と、電力会社への売電を交互に行うように制御する。
【００４９】
このように、本実施の形態に係わる集合住宅用電力供給システム１０では、操作表示パネル２４を操作することによって、太陽光発電装置１４によって発電された電力の蓄電池１６への蓄電と電力会社への売電とを各住戸毎に個別に設定することが可能とされており、住人の意志に応じて好きなように蓄電と売電の割合を設定することができるので、太陽光発電装置１４の発電電力を入居者のニーズに合わせて利用することができる。
【００５０】
単身者向けの集合住宅では、日中の電気使用量が少なく、発電した電力が余剰電力となりやすく、蓄電や売電とされる可能性が高いため、本実施の形態に係わる集合住宅用電力供給システム１０は、単身者向けの集合住宅１２に好適である。
【００５１】
なお、図３のフローチャートは一例として示したが、上記の処理順序に限るものではなく、各判断の順序等は適宜入れ替えるようにしてもよい。例えば、ステップ１０２の経済性重視か否かの判断、ステップ１０６の環境重視か否かの判断は、順序を逆にしても良いし、経済性重視、環境重視、あるいは割合設定の何れを行うかを操作表示パネル２４の操作内容に基づいて判断し、以降の処理を行うようにしてもよい。
【００５２】
また、蓄電／売電割合設定画面としては、上述の例に限るものではなく、例えば、図４（Ｃ）に示すような画面でもよい。図４（Ｃ）の場合には、蓄電池１６への蓄電と電力会社への売電の割合が予め定めており、予め定められた３つの割合の中から選択する例を示す。ここで、図４（Ｃ）において「蓄電／売電０％／１００％」が選択された場合には１００％売電し、「蓄電／売電１００％／０％」が選択された場合には１００％蓄電し、「蓄電／売電５０％／５０％」が選択された場合には、蓄電と売電がそれぞれ５０％となるように制御する。
【００５３】
また、売電及び蓄電の割合の表示方法としては、「％」表示に限るものではなく、例えば、「多」、「少」等の文字で割合を表示するようにしてもよい。
【００５４】
また、上記の実施の形態では、売電する場合には商用電源２８を介して電力会社へ売電する例を説明したが、これに限るものではなく、売電用蓄電池を備えて電力を売電するようにしてもよい。例えば、上記の実施の形態に対して、図５に示すように、売電用蓄電池３４、３５を更に備えるようにしてもよい。すなわち、制御装置２０、２１は、設定に従って売電する場合には、売電用蓄電池３４、３５に電力を蓄電するように制御して、売電用蓄電池３４、３５を所定の電力回収会社が回収（電池交換）することによって売電するようにしてもよい。また、売電用蓄電池３４、３５は、図５の例では、集合住宅１２の各住戸１８や共用部２７に設ける例として示すが、集合住宅１２全体に１つ、または数戸の住戸毎に売電用蓄電池３４、３５を設けるようにしてもよい。また、売電用蓄電池３４、３５による電力の具体的な売電方法としては、例えば、売電用蓄電池３４、３５に充電した電力量を制御装置２０、２１が監視し、蓄電した電力量をネットワーク３０を介して電力回収会社へ送信することによって対価を電力回収会社が支払うことによって行うことが可能である。
【００５５】
また、上記の実施の形態では、蓄電池１６を各住戸毎に設ける例を説明したが、これに限るものではなく、例えば、図６に示すように、複数の住戸に対して１つの蓄電池３８を設けるようにしてもよい。
【００５６】
図６のように複数の住戸に対して蓄電池３８を１つ設ける場合には、各住戸からの電力量を管理するために制御システム３６を介して蓄電池３８が各住戸と接続される。これによって、制御システム３６が各住戸から供給される電力量を監視することによって、蓄電池３８から電力を利用する場合には、蓄電した分だけ使用する等の制御が可能となる。例えば、住戸Ａ１８ＡからａｋＷ、住戸Ｂ１８ＢからｂｋＷ、住戸Ｃ１８ＣからｃｋＷがそれぞれ制御システム３６を介して蓄電池３８に蓄電された場合には、制御システム３８は、住戸Ａ１８Ａが蓄電池３８から使用できる電力上限をａｋＷに制限し、住戸Ｂが蓄電池３８から使用できる電力の上限をｂｋＷに制限し、住戸Ｃが蓄電池３８から使用できる電力上限をｃｋＷに制限することによって、蓄電した量に応じた電力を使用することが可能となる。
【００５７】
また、上記の実施の形態では、操作表示パネル２４は、タッチパネル式を適用する例を説明したが、ボタン式、音声認証式、指紋認証式（脈認証式）等を適用するようにしてもよい。例えば、ボタン式を適用する場合には、売電モードボタンや蓄電モードボタン等のモードボタンを設けて当該モードボタンの操作によって蓄電と売電の割合を設定するようにしてもよい。また、音声認証式を適用する場合には、マイクを介して「バイデン」と認識させた場合に、１００％売電設定とし、マイクを介して「チクデン」と認識させた場合に、１００％蓄電設定としたり、マイクを介して「バイデン５０％チクデン５０％」と認識させた場合に、蓄電と売電の割合をそれぞれ５０％設定としたりするようにしてもよい。さらに、指紋認証式を適用する場合には、各住戸の入居者（例えば、予め定めた代表者）の右手の指紋を認識した場合に、１００％売電設定とし、左手の指紋を認識した場合に、１００％蓄電設定とし、他の指紋を認識した場合に、蓄電と売電の割合をそれぞれ５０％設定としたりするようにしてもよい。或いはこれらを適宜組み合わせて蓄電と売電の割合設定を可能にするようにしてもよい。
【符号の説明】
【００５８】
１０    集合住宅用電力供給システム
１２    集合住宅
１４    太陽光発電装置
１６、３８    蓄電池
１８    住戸
２０    制御装置
２２    分電盤
２４    操作表示パネル
２８    商用電源
３４    売電用蓄電池
【図１】
0005613538.tif 000002
【図２】
0005613538.tif 000003
【図３】
0005613538.tif 000004
【図４】
0005613538.tif 000005
【図５】
0005613538.tif 000006
【図６】
0005613538.tif 000007